(57)【要約】【課題】機能制限が少なく、スーパの修正を容易に行うことができるハイビジョン用ビデオファイル送出プログラム及びハイビジョン用ビデオファイル送出装置を提供する。【解決手段】入力されたテキストデータとハイビジョン用映像以外の放送用映像と少なくとも１つを、プライマリディスプレイ２上で操作手段７を用いて操作して、ハイビジョン用映像中に表示されるハイビジョン用ビデオファイルにして、保存又はセカンダリディスプレイ４に送出するために、コンピュータを、送出項目選択パネル表示手段１３ａ、送出オプションパネル表示手段１３ｂ、位置調整パネル表示手段１３ｃ、変換手段１３ｄ、プレビュー表示手段１３ｅ、基本操作ボタン表示手段１３ｆ、設定ファイル保存読込手段１３ｇ、として機能させる構成とした。【選択図】図２
2008277928.tif 000002
【特許請求の範囲】
【請求項１】
放送するハイビジョン用映像を表示するセカンダリディスプレイと、当該ハイビジョン用映像の操作を行うために供されるプライマリディスプレイとを備える放送システムにおいて、入力されたテキストデータと前記ハイビジョン用映像以外の放送用映像との少なくとも１つを、前記プライマリディスプレイ上で操作者が操作手段を介して操作し、前記ハイビジョン用映像中に表示されるハイビジョン用ビデオファイルとして生成し、保存又は前記セカンダリディスプレイに送出するために、コンピュータを、
前記テキストデータ又は前記放送用映像を前記ハイビジョン用ビデオファイルに変換する際に、前記操作手段を用いて、前記ハイビジョン用映像中に表示されるサイズ及び位置を少なくとも含む変換条件を前記プライマリディスプレイ上で設定する設定手段、
この設定手段で設定された変換条件に基づいて、前記テキストデータ又は前記放送用映像を前記ハイビジョン用ビデオファイルに変換する変換手段、
この変換手段で変換されたハイビジョン用ビデオファイルを、前記セカンダリディスプレイに送出する際のプレビューを表示するプレビュー表示手段、
として機能させることを特徴とするハイビジョン用ビデオファイル送出プログラム。
【請求項２】
前記設定手段は、
前記ハイビジョン用ビデオファイルにするテキストデータ又は放送用映像を示す項目を選択する送出項目選択パネル領域を表示し、
前記送出項目選択パネル領域で選択された項目について前記ハイビジョン用映像に表示する際の表示条件の設定を行う送出オプションパネル領域を表示し、
前記テキストデータ及び前記放送用映像の少なくとも１つが、前記ハイビジョン用ビデオファイルとして、前記ハイビジョン用映像中に表示される際の位置調整を行う位置調整パネル領域を表示し、
前記変換手段は、
前記送出項目選択パネル領域、前記送出オプションパネル領域及び前記位置調整パネル領域を前記操作手段で操作した操作結果である項目、表示条件及び位置を取得し、
取得した項目と表示条件とに基づいて、前記テキストデータ及び前記放送用映像の少なくとも１つを前記ハイビジョン用ビデオファイルに変換すると共に、この変換したハイビジョン用ビデオファイルを取得した位置に表示し、
前記プレビュー表示手段は、
前記プレビューとして表示された前記ハイビジョン用ビデオファイルの操作を行うための基本操作表示ボタンを表示し、
前記ハイビジョン用ビデオファイルを、前記基本操作表示ボタンの所定の操作により、予め備えられた記憶手段に保存する又は前記セカンダリディスプレイに送出することを特徴とする請求項１に記載のハイビジョン用ビデオファイル送出プログラム。
【請求項３】
前記設定手段は、
前記ハイビジョン用映像が放送された後の番組の放送について、提示する番組の放送時間及び番組名を表示する段数を設定する番組段数設定パネル領域を表示し、
前記放送時間及び番組名を表示する際の文字に関する文字情報を設定する文字情報設定パネル領域を表示し、
前記放送時間及び番組名を表示する際の背景を設定する背景設定パネル領域を表示し、
前記放送時間と番組名とを対応付けて入力する入力欄を表示し、
前記変換手段は、
前記番組段数設定パネル領域、前記文字情報設定パネル領域及び前記背景設定パネル領域を前記操作手段で操作した操作結果である番組段数、文字情報及び背景に関する情報を取得し、
取得した文字情報と背景に関する情報とに基づいて、前記入力欄に入力された放送時間と番組名とを前記ハイビジョン用ビデオファイルに変換すると共に、この変換したハイビジョン用ビデオファイルを取得した番組段数に表示し、
前記プレビュー表示手段は、
前記プレビューとして表示された前記ハイビジョン用ビデオファイルの操作を行うための基本操作表示ボタンを表示し、
前記ハイビジョン用ビデオファイルを、前記基本操作表示ボタンの所定の操作により、予め備えられた記憶手段に保存する又は前記セカンダリディスプレイに送出することを特徴とする請求項１に記載のハイビジョン用ビデオファイル送出プログラム。
【請求項４】
前記設定手段は、
縦スクロールのスーパの元となる記事を読み込む際の設定を行う欄を表示し、
前記記事の読み込み先から読み込まれたテキストデータ又は入力されたテキストデータを表示し、
前記縦スクロールのスーパを表示する際に、提示するスーパの文字に関する文字情報及び背景色を設定する文字情報・背景色設定パネル領域を表示し、
前記縦スクロールのスーパを前記ハイビジョン用映像に表示する座標を調整する座標調整バーを表示し、
前記縦スクロールのスーパをスクロールする速度を調整するスクロール速度バーを表示し、
前記変換手段は、
前記記事を読み込む際の設定を行う欄、前記文字情報・背景色設定パネル領域、前記座標調整バー及び前記スクロール速度バーを前記操作手段で操作した操作結果である記事の読み込み先、文字情報、背景色、表示する座標及びスクロールする速度と、入力されたテキストデータとを取得し、
取得された文字情報と背景色とに基づいて、前記記事の読み込み先から読み込まれたテキストデータ及び前記入力されたテキストデータの少なくとも１つを前記ハイビジョン用ビデオファイルに変換すると共に、この変換したハイビジョン用ビデオファイルを取得された、表示する座標及びスクロールする速度で表示し、
前記プレビュー表示手段は、
前記プレビューとして表示された前記ハイビジョン用ビデオファイルの操作を行うための基本操作表示ボタンを表示し、
前記ハイビジョン用ビデオファイルを、前記基本操作表示ボタンの所定の操作により、予め備えられた記憶手段に保存する又は前記セカンダリディスプレイに送出することを特徴とする請求項１に記載のハイビジョン用ビデオファイル送出プログラム。
【請求項５】
放送するハイビジョン用映像を表示するセカンダリディスプレイと、当該ハイビジョン用映像の操作を行うために供されるプライマリディスプレイとを備える放送システムにおいて、入力されたテキストデータと前記ハイビジョン用映像以外の放送用映像との少なくとも１つを、前記プライマリディスプレイ上で操作して、前記ハイビジョン用映像中に表示されるハイビジョン用ビデオファイルとして生成し、保存又は前記セカンダリディスプレイに送出するハイビジョン用ビデオファイル送出装置であって、
操作者が当該装置を操作する際に用いる操作手段と、
前記テキストデータ又は前記放送用映像を前記ハイビジョン用ビデオファイルに変換する際に、前記操作手段を用いて、前記ハイビジョン用映像中に表示されるサイズ及び位置を少なくとも含む変換条件を前記プライマリディスプレイ上で設定する設定手段と、
この設定手段で設定された変換条件に基づいて、前記テキストデータ又は前記放送用映像を前記ハイビジョン用ビデオファイルに変換する変換手段と、
この変換手段で変換されたハイビジョン用ビデオファイルを、前記セカンダリディスプレイに送出する際のプレビューを表示するプレビュー表示手段と、
を備えることを特徴とするハイビジョン用ビデオファイル送出装置。
【発明の詳細な説明】
【技術分野】
【０００１】
本発明は、ハイビジョン用映像中に表示されるファイルを送出するハイビジョン用ビデオファイル送出プログラム及びハイビジョン用ビデオファイル送出装置に関する。
【背景技術】
【０００２】
現在、地方の放送局にて、ハイビジョン用映像中に表示される運行ビデオファイル（以下、運行ＶＦという）が運用されている。
この運行ＶＦは、ハイビジョン用映像中に編成スーパ（以下、スーパという）を表示するのに使用されており、放送されるハイビジョン用映像を制作する上で重要な役割を担っている。
【０００３】
この運行ＶＦは、放送局で緊急放送を行う際に使用する緊急初動卓に機能集約されており、この緊急初動卓では、スーパを一旦画像化し静止画として出力している（例えば、特許文献１、非特許文献１，２参照）。
【特許文献１】特許第３０００８５５号公報
【非特許文献１】静止画／動画送出サーバー“Ｔｈｕｎｄｅｒ”カタログ資料  ２００３年１０月発行
【非特許文献２】ＩＳＩＳビデオテロッパー  ＢＣ−９０００  カタログ資料  日本ビクター株式会社  ２００３年２月発行
【発明の開示】
【発明が解決しようとする課題】
【０００４】
しかしながら、従来の緊急初動卓では、２行しかスーパできないなどの機能制限があり、使い勝手が悪いという問題がある。また、スーパを一旦画像化して静止画として出力しているため、修正することの困難な場合が生じるという問題がある。
【０００５】
そこで、本発明では、前記した問題を解決し、機能制限が少なく、スーパの修正を容易に行うことができ、簡単にハイビジョン用ビデオファイルを得ることができるハイビジョン用ビデオファイル送出プログラム及びハイビジョン用ビデオファイル送出装置を提供することを目的とする。
【課題を解決するための手段】
【０００６】
前記課題を解決するため、請求項１に記載のハイビジョン用ビデオファイル送出プログラムは、放送するハイビジョン用映像を表示するセカンダリディスプレイと、当該ハイビジョン用映像の操作を行うために供されるプライマリディスプレイとを備える放送システムにおいて、入力されたテキストデータと前記ハイビジョン用映像以外の放送用映像との少なくとも１つを、前記プライマリディスプレイ上で操作者が操作手段を介して操作し、前記ハイビジョン用映像中に表示されるハイビジョン用ビデオファイルとして、保存又は前記セカンダリディスプレイに送出するために、コンピュータを、設定手段、変換手段、プレビュー表示手段、として機能させる構成とした。
【０００７】
かかる構成によれば、ハイビジョン用ビデオファイル送出プログラムは、設定手段によって、テキストデータ又は放送用映像を前記ハイビジョン用ビデオファイルに変換する際に、操作手段を用いて、ハイビジョン用映像中に表示されるサイズ及び位置を少なくとも含む変換条件をプライマリディスプレイ上で設定する。続いて、ハイビジョン用ビデオファイル送出プログラムは、変換手段によって、設定手段で設定された変換条件に基づいて、テキストデータ又は放送用映像をハイビジョン用ビデオファイルに変換する。そして、ハイビジョン用ビデオファイル送出プログラムは、プレビュー表示手段によって、変換手段で変換されたハイビジョン用ビデオファイルを、セカンダリディスプレイに送出する際のプレビューを表示する。
【０００８】
請求項２に記載のハイビジョン用ビデオファイル送出プログラムは、請求項１に記載のハイビジョン用ビデオファイル送出プログラムにおいて、設定手段が、前記ハイビジョン用ビデオファイルにするテキストデータ又は放送用映像を示す項目を選択する送出項目選択パネル領域を表示し、前記送出項目選択パネル領域で選択された項目について前記ハイビジョン用映像に表示する際の表示条件の設定を行う送出オプションパネル領域を表示し、前記テキストデータ及び前記放送用映像の少なくとも１つが、前記ハイビジョン用ビデオファイルとして、前記ハイビジョン用映像中に表示される際の位置調整を行う位置調整パネル領域を表示し、前記変換手段が、前記送出項目選択パネル領域、前記送出オプションパネル領域及び前記位置調整パネル領域を前記操作手段で操作した操作結果である項目、表示条件及び位置を取得し、取得した項目と表示条件とに基づいて、前記テキストデータ及び前記放送用映像の少なくとも１つを前記ハイビジョン用ビデオファイルに変換すると共に、この変換したハイビジョン用ビデオファイルを取得した位置に表示し、前記プレビュー表示手段が、前記プレビューとして表示された前記ハイビジョン用ビデオファイルの操作を行うための基本操作表示ボタンを表示し、前記ハイビジョン用ビデオファイルを、前記基本操作表示ボタンの所定の操作により、予め備えられた記憶手段に保存する又は前記セカンダリディスプレイに送出することを特徴とする。
【０００９】
かかる構成によれば、ハイビジョン用ビデオファイル送出プログラムは、設定手段によって、送出項目選択パネル領域、送出オプションパネル領域及び位置調整パネル領域を表示する。そして、ハイビジョン用ビデオファイル送出プログラムは、変換手段によって、操作結果である項目、表示条件及び位置を取得し、項目及び表示条件に基づいてテキストデータ及び放送用映像の少なくとも１つをハイビジョン用ビデオファイルに変換し、変換したハイビジョン用ビデオファイルを、取得した位置に表示する。そして、ハイビジョン用ビデオファイル送出プログラムは、プレビュー表示手段によって、基本操作表示ボタンを表示し、この基本操作表示ボタンの所定の操作により、ハイビジョン用ビデオファイルを、予め備えられた記憶手段に保存する又はセカンダリディスプレイに送出する。
【００１０】
請求項３に記載のハイビジョン用ビデオファイル送出プログラムは、請求項１に記載のハイビジョン用ビデオファイル送出プログラムにおいて、前記設定手段が、前記ハイビジョン用映像が放送された後の番組の放送について、提示する番組の放送時間及び番組名を表示する段数を設定する番組段数設定パネル領域を表示し、前記放送時間及び番組名を表示する際の文字に関する文字情報を設定する文字情報設定パネル領域を表示し、前記放送時間及び番組名を表示する際の背景を設定する背景設定パネル領域を表示し、前記放送時間と番組名とを対応付けて入力する入力欄を表示し、前記変換手段が、前記番組段数設定パネル領域、前記文字情報設定パネル領域及び前記背景設定パネル領域を前記操作手段で操作した操作結果である番組段数、文字情報及び背景に関する情報を取得し、取得した文字情報と背景に関する情報とに基づいて、前記入力欄に入力された放送時間と番組名とを前記ハイビジョン用ビデオファイルに変換し、この変換したハイビジョン用ビデオファイルを取得した番組段数に表示し、前記プレビュー表示手段が、前記プレビューとして表示された前記ハイビジョン用ビデオファイルの操作を行うための基本操作表示ボタンを表示し、前記ハイビジョン用ビデオファイルを、前記基本操作表示ボタンの所定の操作により、予め備えられた記憶手段に保存する又は前記セカンダリディスプレイに送出することを特徴とする。
【００１１】
かかる構成によれば、ハイビジョン用ビデオファイル送出プログラムは、設定手段によって、番組段数設定パネル領域、文字情報設定パネル領域、背景設定パネル領域及び入力欄を表示する。そして、ハイビジョン用ビデオファイル送出プログラムは、変換手段によって、操作結果である番組段数、文字情報及び背景に関する情報を取得し、文字情報及び背景に関する情報に基づいて、放送時間と番組名とをハイビジョン用ビデオファイルに変換し、変換したハイビジョン用ビデオファイルを、取得した番組段数で表示する。そして、ハイビジョン用ビデオファイル送出プログラムは、プレビュー表示手段によって、基本操作表示ボタンを表示し、この基本操作表示ボタンの所定の操作により、ハイビジョン用ビデオファイルを、予め備えられた記憶手段に保存する又はセカンダリディスプレイに送出する。
【００１２】
請求項４に記載のハイビジョン用ビデオファイル送出プログラムは、請求項１に記載のハイビジョン用ビデオファイル送出プログラムにおいて、前記設定手段が、縦スクロールのスーパの元となる記事を読み込む際の設定を行う欄を表示し、前記記事の読み込み先から読み込まれたテキストデータ又は入力されたテキストデータを表示し、前記縦スクロールのスーパを表示する際に、提示するスーパの文字に関する文字情報及び背景色を設定する文字情報・背景色設定パネル領域を表示し、前記縦スクロールのスーパを前記ハイビジョン用映像に表示する座標を調整する座標調整バーを表示し、前記縦スクロールのスーパをスクロールする速度を調整するスクロール速度バーを表示し、前記変換手段が、前記記事を読み込む際の設定を行う欄、前記文字情報・背景色設定パネル領域、前記座標調整バー及び前記スクロール速度バーを前記操作手段で操作した操作結果である記事の読み込み先、文字情報、背景色、表示する座標及びスクロールする速度と、入力されたテキストデータとを取得し、取得された文字情報と背景色とに基づいて、前記記事の読み込み先から読み込まれたテキストデータ及び前記入力されたテキストデータの少なくとも１つを前記ハイビジョン用ビデオファイルに変換すると共に、この変換したハイビジョン用ビデオファイルを取得された表示する座標及びスクロールする速度で表示し、前記プレビュー表示手段が、前記プレビューとして表示された前記ハイビジョン用ビデオファイルの操作を行うための基本操作表示ボタンを表示し、前記ハイビジョン用ビデオファイルを、前記基本操作表示ボタンの所定の操作により、予め備えられた記憶手段に保存する又は前記セカンダリディスプレイに送出することを特徴とする。
【００１３】
かかる構成によれば、ハイビジョン用ビデオファイル送出プログラムは、設定手段によって、記事を読み込む際の設定を行う欄、テキストデータ、文字情報・背景色設定パネル領域、座標調整バー及びスクロール速度バーを表示する。そして、ハイビジョン用ビデオファイル送出プログラムは、変換手段によって、操作結果である記事の読み込み先、文字情報、背景色、表示する座標及びスクロールする速度と、入力されたテキストデータとを取得し、文字情報及び背景色に基づいて、記事の読み込み先から読み込まれたテキストデータ及び入力されたテキストデータの少なくとも１つをハイビジョン用ビデオファイルに変換する。そして、ハイビジョン用ビデオファイル送出プログラムは、プレビュー表示手段によって、基本操作表示ボタンを表示し、この基本操作表示ボタンの所定の操作により、ハイビジョン用ビデオファイルを、予め備えられた記憶手段に保存する又はセカンダリディスプレイに送出する。
【００１４】
請求項５に記載のハイビジョン用ビデオファイル送出装置は、放送するハイビジョン用映像を表示するセカンダリディスプレイと、当該ハイビジョン用映像の操作を行うために供されるプライマリディスプレイとを備える放送システムにおいて、入力されたテキストデータと前記ハイビジョン用映像以外の放送用映像との少なくとも１つを、前記プライマリディスプレイ上で操作して、前記ハイビジョン用映像中に表示されるハイビジョン用ビデオファイルとして生成し、保存又は前記セカンダリディスプレイに送出するハイビジョン用ビデオファイル送出装置であって、操作手段と、設定手段と、変換手段と、プレビュー表示手段と、を備える構成とした。
【００１５】
かかる構成によれば、ハイビジョン用ビデオファイル送出装置は、操作手段を、操作者が操作する際に用い、設定手段によって、テキストデータ又は放送用映像をハイビジョン用ビデオファイルに変換する際に、ハイビジョン用映像中に表示されるサイズ及び位置を少なくとも含む変換条件をプライマリディスプレイ上で設定する。そして、ハイビジョン用ビデオファイル送出装置は、変換手段によって、設定手段で設定された変換条件に基づいて、テキストデータ又は放送用映像を前記ハイビジョン用ビデオファイルに変換し、プレビュー表示手段によって、変換手段で変換されたハイビジョン用ビデオファイルを、セカンダリディスプレイに送出する際のプレビューを表示する。
【発明の効果】
【００１６】
請求項１、５に記載の発明によれば、テキストデータ及び放送用映像の少なくとも１つについて、変換条件に基づいて、ハイビジョン用ビデオファイルに変換されるので、操作者は、操作手段に用いて変換条件を設定することで、簡単にハイビジョン用ビデオファイルを得ることができる。
【００１７】
請求項２に記載の発明によれば、テキストデータ及び放送用映像の少なくとも１つについて、取得された項目、表示条件及び位置に基づいて、ハイビジョン用ビデオファイルに変換され、プレビュー表示が可能であるので、操作者は、項目、表示条件及び位置を設定することで、簡単にハイビジョン用ビデオファイルを得ることができる。また、入力されたテキストデータがハイビジョン用ビデオファイルの一種であるスーパとして送出される場合、当該テキストデータを一旦画像化し静止画として出力することがないので、機能制限が少なく、スーパの修正を容易に行うことができる。
【００１８】
請求項３に記載の発明によれば、取得された番組段数、文字情報、背景に関する情報に基づいて、入力された放送時間と番組名とが、これらを対応付けて表示するハイビジョン用ビデオファイルに変換され、プレビュー表示が可能であるので、操作者は、番組段数、文字情報及び背景に関する情報を設定することで、簡単にハイビジョン用ビデオファイルを得ることができる。
【００１９】
請求項４に記載の発明によれば、取得された記事の読込先、文字情報、背景色、表示する座標及びスクロールする速度に基づいて、読込先から読み込まれた又は入力されたテキストデータが、縦スクロールのスーパとして表示するハイビジョン用ビデオファイルに変換され、プレビュー表示が可能であるので、操作者は、記事の読込先、文字情報、背景色、表示する座標及びスクロールする速度を設定することで、簡単にハイビジョン用ビデオファイルを得ることができる。
【発明を実施するための最良の形態】
【００２０】
次に、本発明の実施形態について、適宜、図面を参照しながら詳細に説明する。
（放送システムの概略）
図１は、放送システムのシステム構成図である。この図１に示すように、放送システムＳは、図示を省略した放送装置によりハイビジョン放送を行う際に、この放送装置に出力するハイビジョン用映像を送出するもので、ハイビジョン用ビデオファイル送出装置１と、プライマリディスプレイ２と、セカンダリディスプレイ４とを備えている。
【００２１】
ハイビジョン用ビデオファイル送出装置１は、入力されたＨＤ、ＳＤ、ＮＴＳＣの少なくとも１の放送用映像及びニュース記事、又は、入力したテキストデータを、ハイビジョン用ビデオファイルにして送出するものであり、一般的なパーソナルコンピュータを基盤にして構築したもので、プライマリディスプレイ２とセカンダリディスプレイ４との２つのディスプレイをデュアルディスプレイ設定にしたものである。
【００２２】
そして、このハイビジョン用ビデオファイル送出装置１は、入力手段３と、制御手段５と、操作手段７と、記憶手段９と、出力手段１１とを備えており、この操作手段７を用いて、操作者によって操作されることとなる。なお、この操作手段７から制御手段５にパラメータ（テキストデータ及び操作信号）が出力されている。
【００２３】
入力手段３は、様々な信号、データを入力するためのインターフェースであり、同期信号、ＨＤ−ＳＤＩ、ニュース記事、画像ファイルを入力するものである。なお、この入力手段３では、ＮＴＳＣ信号も入力可能であるが、この実施形態は、未使用（未入力）としている。
【００２４】
制御手段５は、様々なプログラムが起動しており、当該装置１の制御を司るものである。そして、この制御手段５は、入力手段３から出力された同期信号、ＨＤ−ＳＤＩ、ニュース記事、画像ファイルと、操作手段７から出力されたパラメータ（テキストデータ、フォント、座標）及び操作信号とを入力とし、制御した結果（以下、制御結果という）を、プライマリディスプレイ２及び出力手段１１に出力すると共に、制御結果の１つである設定ファイルを記憶手段９に書き込んだり、記憶手段９に記憶された設定ファイルを読み込んだりするものである。なお、制御手段５で起動しているプログラムの詳細は後記する。
【００２５】
操作手段７は、操作者が操作するものであり、キーボードやマウス等によって構成されている。そして、この操作手段７から出力されたパラメータ及び操作信号に従って制御手段５が制御されることになる。
【００２６】
記憶手段９は、制御手段５から出力された設定ファイルを記憶するものであり、一般的なハードディスク等によって構成されている。なお、設定ファイルは、ハイビジョン用ビデオファイルと同義であり、複数の設定ファイルが制御手段５から出力された順序に並べられ、リスト化されている。そして、このリスト化された複数の設定ファイルを、初期ファイルと呼称することとする。
【００２７】
出力手段１１は、制御手段５から出力された制御結果を、外部に出力するためのインターフェースであり、アナログ出力とＨＤ−ＳＤＩ出力（２系統、本線とセカンダリディスプレイ４への出力）との出力ポートを備えている。なお、この実施形態では、この出力手段１１は、セカンダリグラフィックボードによって構成されている。なお、本線が前記した放送装置（図示せず）に接続されている。
【００２８】
プライマリディスプレイ２は、ハイビジョン用ビデオファイル送出装置１で起動しているアプリケーション（ハイビジョン用ビデオファイル送出プログラム）の親フォームを表示するもので、一般的なディスプレイによって構成されている。この親フォームは、操作者が当該装置１を操作する際に参照するものであり、この親フォームで操作された結果がセカンダリディスプレイ４に表示される子フォームに反映される。なお、これら親フォームと子フォームとの関係は、ソフトウェア上における入力画面（親フォーム）と出力媒体（子フォーム）との関係であると定義でき、親フォームから子フォームに備えられている描画関数を制御している。
【００２９】
セカンダリディスプレイ４は、ハイビジョン用ビデオファイル送出装置１で起動しているアプリケーション（ハイビジョン用ビデオファイル送出プログラム）の子フォームを表示するものである。なお、この子フォームは、ハイビジョン用ビデオファイル送出装置１に搭載されたグラフィックボードから出力されたものである。この実施形態では、グラフィックボードはＢｌａｃｋｍａｉｃ  Ｄｅｓｉｇｎ社の「Ｄｅｃｋｌｉｎｋ  ＨＤ  Ｅｘｔｒｅｍｅ」を採用している。
【００３０】
そして、セカンダリディスプレイ４は、放送装置（図示せず）に送出するハイビジョン用ビデオファイルを確認するために用いられるものである。実際の放送局等では、このセカンダリディスプレイ４は、番組として放送するハイビジョン用映像を制作する際に、プライマリディスプレイ２で操作者（番組の編集者）が操作（編集）したもの（ここでは、ハイビジョン用ビデオファイル）をディレクタ等がチェックする際に用いられることになる。
【００３１】
操作者が、親フォームに文字（テキストデータ）を入力する操作を行うことで、子フォーム上にその結果が反映され、この子フォームに表示された画面がハイビジョン用ビデオファイル送出装置１からそのまま、ＨＤ−ＳＤＩ出力される。
【００３２】
（ハイビジョン用ビデオファイル送出装置の構成）
これより、図２を参照して、ハイビジョン用ビデオファイル送出装置１の制御手段５で起動しているプログラムをメインに、当該装置１の構成について説明する（適宜、図１参照）。
【００３３】
図２にハイビジョン用ビデオファイル送出装置１の機能ブロック図を示す。この図２に示すように、ハイビジョン用ビデオファイル送出装置１は、一般的なパーソナルコンピュータを基盤に構築したもので、大きく３つの機能（スーパ／静止画送出機能、早終／延伸静止画作画・送出機能、縦スクロールニュース速報送出機能）を実現している。
【００３４】
そして、スーパ／静止画送出機能は、ハイビジョン映像中に、ハイビジョン用ビデオファイルとして、スーパ（定型文、任意入力テキストデータ）又は静止画（定型ノルマル、任意ノルマル）を送出する機能である。
【００３５】
また、早終／延伸静止画作画・送出機能は、ハイビジョン映像中に、ハイビジョン用ビデオファイルとして、静止画（早終ノルマル、延伸ノルマル）を作画して送出する機能である。早終ノルマルは、放送中のハイビジョン映像（放送番組）が放送予定時間よりも早く終了してしまう場合に、視聴者に対し後続の番組の放送時間及び番組名をお知らせする静止画を指し、延伸ノルマルは、放送中のハイビジョン映像（放送番組）が放送予定時間よりも延びてしまった場合に、視聴者に対し後続の番組の放送時間及び番組名をお知らせする静止画を指す。
【００３６】
そして、縦スクロールニュース速報送出機能は、ハイビジョン映像中に、ハイビジョン用ビデオファイルとして、縦スクロールニュース速報を送出する機能である。この縦スクロールニュース速報は、読み込んだニュース記事又は手入力したテキストデータの少なくとも一方から構成したものである。
【００３７】
スーパ／静止画送出機能を実現するために、送出項目選択パネル表示手段１３ａと、送出オプションパネル表示手段１３ｂと、位置調整パネル表示手段１３ｃと、変換手段１３ｄと、プレビュー表示手段１３ｅと、基本操作ボタン表示手段１３ｆと、設定ファイル保存読込手段１３ｇと、ショートカットキー設定手段１３ｈとが起動している。
【００３８】
また、早終／延伸静止画作画・送出機能を実現するために、番組段数設定パネル表示手段１５ａと、文字情報設定パネル表示手段１５ｂと、背景設定パネル表示手段１５ｃと、放送時間・番組名対応表示手段１５ｄと、変換手段１５ｅと、プレビュー表示手段１５ｆと、基本操作ボタン表示手段１５ｇと、設定ファイル保存読込手段１５ｈと、ショートカットキー設定手段１５ｉとが起動している。
【００３９】
さらに、縦スクロールニュース速報送出機能を実現するために、テキストデータ表示手段１７ａと、文字情報・背景設定パネル表示手段１７ｂと、座標調整バー表示手段１７ｃと、スクロール速度バー表示手段１７ｄと、記事読込設定欄表示手段１７ｅと、変換手段１７ｆと、プレビュー表示手段１７ｇと、基本操作ボタン表示手段１７ｈと、設定ファイル保存読込手段１７ｉと、ショートカットキー設定手段１７ｊとが起動している。
【００４０】
なお、スーパ／静止画送出機能の送出項目選択パネル表示手段１３ａ、送出オプションパネル表示手段１３ｂ及び位置調整パネル表示手段１３ｃと、早終／延伸静止画作画・送出機能の番組段数設定パネル表示手段１５ａ、文字情報設定パネル表示手段１５ｂ、背景設定パネル表示手段１５ｃ及び放送時間・番組名対応表示手段１５ｄと、縦スクロールニュース速報送出機能のテキストデータ表示手段１７ａ、文字情報・背景色設定パネル表示手段１７ｂ、座標調整バー表示手段１７ｃ、スクロール速度バー表示手段１７ｄ及び記事読込設定欄表示手段１７ｅとが請求項に記載した設定手段に相当する。
【００４１】
そして、請求項に記載した変換条件とは、これらの手段で設定された項目、表示条件及び位置（表示する位置）と、番組段数、文字情報、背景に関する情報並びに入力欄に入力された放送時間及び番組名と、読み込み先、文字情報、背景色、表示する座標及びスクロールする速度とのいずれかを指している。
【００４２】
また、スーパ／静止画送出機能のプレビュー表示手段１３ｅ、設定ファイル保存読込手段１３ｇ及びショートカットキー設定手段１３ｈと、早終／延伸静止画作画・送出機能のプレビュー表示手段１５ｆ、設定ファイル保存読込手段１５ｈ及びショートカットキー設定手段１５ｉと、縦スクロールニュース速報送出機能のプレビュー表示手段１７ｇ、設定ファイル保存読込手段１７ｉ及びショートカットキー設定手段１７ｊとは、同様の処理を行うものであるので、プレビュー表示手段１３ｅ、設定ファイル保存読込手段１３ｇ及びショートカットキー設定手段１３ｈの説明を行うだけとし、後は省略する。
【００４３】
送出項目選択パネル表示手段１３ａは、ハイビジョン用ビデオファイルにする項目を選択するパネル領域（送出項目選択パネル領域、具体的な例を後記する）を、プライマリディスプレイ２の画面上に表示するものである。項目には、「定型文」と、「任意入力上Ｗ」と、「任意入力下Ｗ」と、「定型ノルマル」と、「任意ノルマル」とが含まれており、各項目を選択するためのラジオボタンが付されている。
【００４４】
「定型文」は、スーパとして表示する定型文のテキストデータであり、予め記憶手段９に記憶されたハイビジョン用ビデオファイルを選択する項目である。
「任意入力上Ｗ」は、操作者が操作手段７を用いて、入力した任意のテキストデータを、スーパとして画面の上側に表示するハイビジョン用ビデオファイルを選択する項目である。
「任意入力下Ｗ」は、操作者が操作手段７を用いて、入力した任意のテキストデータを、スーパとして画面の下側に表示するハイビジョン用ビデオファイルを選択する項目である。
【００４５】
「定型ノルマル」は、予め記憶手段９に記憶された、１枚の静止画又は複数の静止画（連続して送出する静止画）として表示するハイビジョン用ビデオファイルを選択する項目である。
「任意ノルマル」は、別途入力された任意の静止画として表示するハイビジョン用ビデオファイルを選択する項目である。
そして、操作者は、ラジオボタンを、操作手段７を用いて選択する（オンにする）ことで、当該項目を選択することができる。
【００４６】
送出オプションパネル表示手段１３ｂは、送出項目選択パネル表示手段１３ａで選択した項目について、ハイビジョン用映像に表示する際の表示条件について設定するためのパネル領域（送出オプションパネル領域、具体的な例を後記する）を、プライマリディスプレイ２の画面上に表示するものである。送出オプションパネル領域は、「フォント」、「文字大きさ」、「定型文」及び「定型ノルマル」のプルダウンメニュー形式の設定欄と、「時報Ｗあり」及び「４：３送出」のチェック欄と、「任意入力」及び「ファイル場所」の任意に入力できる入力欄と、「参照」の表示ボタンとを表示するものである。
【００４７】
「フォント」は、スーパとして、送出する文字（テキストデータ）のフォントを設定する設定欄である。
「文字大きさ」は、スーパとして、送出する文字（テキストデータ）の大きさを設定する設定欄である。
【００４８】
「定型文」は、スーパとして、送出する定型文を設定する設定欄である。
「定型ノルマル」は、定型ノルマルとして、送出する静止画を設定する設定欄である。
「時報Ｗあり」は、時報表示をするか否かを決定するチェック欄である。
「４：３送出」は、ハイビジョン用ビデオファイルを４：３で送出するか否かを決定するチェック欄である。
「任意入力」は、操作者が操作手段７を用いて任意のテキストデータを入力するための入力欄である。
【００４９】
「ファイル場所」は、スーパや静止画を、読み込む又は書き込む場所を入力するための入力欄である。
「参照」は、押下することで、スーパや静止画を、読み込む又は書き込む場所を「ファイル場所」に表示する表示ボタンである。
【００５０】
位置調整パネル表示手段１３ｃは、送出するスーパ、定型ノルマル又は任意ノルマルを、ハイビジョン映像中に表示する際の位置を調整する位置調整パネル領域（具体的な例を後記する）を表示するものである。位置調整パネル領域は、表示する際に位置をＸ軸方向に調整する「横方向の矢印ボタン」と、Ｙ軸方向に調整する「縦方向の矢印ボタン」と、初期位置に戻す「初期位置戻しボタン」とから構成されている。
【００５１】
変換手段１３ｄは、送出項目選択パネル領域、送出オプションパネル領域及び位置調整パネル領域が、操作者により操作手段７で操作された操作結果である項目、表示条件及び位置を取得し、取得された項目及び表示条件と予め設定した作画関数とに基づいて、入力手段３を介して入力されたニュース記事、画像ファイル（ＮＴＳＣを使用時には、このＮＴＳＣも）と、操作手段７から入力されたテキストデータとの少なくとも１つを、ハイビジョン用ビデオファイルに変換し、取得された位置に表示するようにするものである。なお、この作画関数は、既存のもの、すなわち、アプリケーションとして組み込まれたものを使用している。
【００５２】
プレビュー表示手段１３ｅは、変換手段１３ｄで変換されたハイビジョン用ビデオファイルを、操作手段７から操作信号に従って、プライマリディスプレイ２に表示するものである。
【００５３】
基本操作ボタン表示手段１３ｆは、プレビュー表示手段１３ｅでプライマリディスプレイ２に表示されたハイビジョン用ビデオファイルの操作を、操作手段７を用いて行うための基本操作表示ボタン（詳細は後記する）を表示するものである。基本操作表示ボタンには、「プレビュー」、「プレビュー終了」、「ＣＨＡＮＧＥ」、「ＮＥＸＴ  ＳＫＩＰ」、「ＮＥＸＴ  ＢＡＣＫ」、「送出」、「消去」、「終了」、「ロック」、「連続送出モード」が含まれている。
【００５４】
「プレビュー」は、操作手段７（例えば、マウス）を用いて、押下された場合に、プレビューを行うための基本操作表示ボタンである。
「プレビュー終了」は、操作手段７（例えば、マウス）を用いて、押下された場合に、プレビューを終了するための基本操作表示ボタンである。
【００５５】
「ＣＨＡＮＧＥ」は、「連続送出モード」が押下されている場合において、現在の設定ファイルを送出し、次の設定ファイルを読み込むための基本操作表示ボタンである。
「ＮＥＸＴ  ＳＫＩＰ」は、「連続送出モード」が押下されている場合において、現在の設定ファイルをそのままに、次のその次の（次々の）設定ファイルを読み込むための基本操作表示ボタンである。
「ＮＥＸＴ  ＢＡＣＫ」は、「連続送出モード」が押下されている場合において、現在の設定ファイルをそのままに、１つの前の設定ファイルを読み込むための基本操作表示ボタンである。
【００５６】
「送出」は、プライマリディスプレイ２上に表示されているプレビュー（ハイビジョン用ビデオファイル）をセカンダリディスプレイ４に送出するための基本操作表示ボタンである。
「消去」は、現在操作しているハイビジョン用ビデオファイルを消去するための基本操作表示ボタンである。
【００５７】
「終了」は、現在行っている機能（スーパ／静止画送出機能、早終／延伸静止画作画・送出機能、縦スクロールニュース速報送出機能）を終了するための基本操作表示ボタンである。
【００５８】
「ロック」は、ハイビジョン用ビデオファイルへの操作を一切不可及び不可解除にするための基本操作表示ボタンである。つまり、この「ロック」が１回押下された場合には、ハイビジョン用ビデオファイルへの操作が一切不可となり、再度押下された場合には、不可となった操作が解除され、当該操作を行うことができる。
【００５９】
「連続送出モード」は、複数の設定ファイルを連続して送出する連続送出モードを設定、実行するための基本操作表示ボタンである。この「連続送出モード」が押下された場合、「連続送出設定ウインドウ」（具体例は後記）が開き、連続して送出する設定ファイルの送出順を設定することができる。
【００６０】
「連続送出設定ウインドウ」には、別のソフトウェアにおける一般のウインドウと同様に、「新規作成」、「削除」、「設定して終了」「キャンセル」の基本操作表示ボタンが備えられると共に、設定ファイルを追加する「追加」と、連続送出ファイルを作成するための「連続送出ファイル作成」との基本操作表示ボタンが備えられている。
【００６１】
設定ファイル保存読込手段１３ｇは、記憶手段９に設定ファイルを保存したり、記憶手段９に記憶されている設定ファイルを読み込んだりするものである。なお、この記憶手段９に記憶される際に、当該設定ファイルを表示するハイビジョン用映像との対応付けがなされる。
【００６２】
ショートカットキー設定手段１３ｈは、操作手段７のキーボードで行った操作と対応付けて、プライマリディスプレイ２上に表示されている所定の基本操作表示ボタンを押下したこととするショートカットキーを設定するものである。
【００６３】
例えば、操作手段７のキーボードの“ＥＳＣ”キーを操作者が押下することで、基本操作表示ボタンの「消去」ボタンが押下されたことと設定したり、“矢印”キーを操作者が押下することで、基本操作表示ボタンの「横方向の矢印ボタン」又は「縦方向の矢印ボタン」が押下されたことと設定したりすることができる。
【００６４】
ここで、図３を参照して、スーパ／静止画送出機能が実行された場合に、プライマリディスプレイ２上に表示される画面の例について説明する。この図３に示すように、スーパ／静止画送出機能が実行されると、プライマリディスプレイ２上には、「スーパ／静止画送出ウインドウ」Ｗ１が表示される。この「スーパ／静止画送出ウインドウ」Ｗ１には、「送出項目選択」ＰＧ１（送出項目選択パネル領域）、「送出オプション領域」ＰＧ２（送出オプションパネル領域）、「位置調整」ＰＧ３（位置調整パネル領域）、「プレビュー画面」Ｐ、「基本操作表示ボタン」（「プレビュー」Ｋ１、「プレビュー終了」Ｋ２、「ＣＨＡＮＧＥ」Ｋ３、「ＮＥＸＴ  ＳＫＩＰ」Ｋ４、「ＮＥＸＴ  ＢＡＣＫ」Ｋ５、「送出」Ｋ６、「消去」Ｋ７、「終了」Ｋ８、「ロック」Ｋ９、「連続送出モードＫ１０」）、が表示されている。そして、「連続送出モードＫ１０」が押下されると、「連続送出設定画面」Ｗ２（連続送出設定ウインドウ）が表示される。各構成の説明と重複する点については説明を省略する。
【００６５】
「プレビュー画面」Ｐは、実際にセカンダリディスプレイ４上で表示される場合の９０％枠の大きさを有し、両端のサイドカット線をマーキングしてある。
また、「連続送出設定画面」Ｗ２には、設定ファイルを送出順に並べて表示する表示欄と、「新規作成」Ｋ１１、「追加」Ｋ１２、「削除」Ｋ１３、「設定して終了」Ｋ１４、「連続送出ファイル作成」Ｋ１５、「キャンセル」Ｋ１６が表示されている。図２に戻る。
【００６６】
番組段数設定パネル表示手段１５ａは、ハイビジョン用映像（放送番組）が放送された後の番組の放送について、提示する番組（視聴者に放送予定をお知らせする番組）の放送時間及び番組名を表示する段数（行数）を、操作者が操作手段７を用いて設定するパネル領域である番組段数設定パネル領域を、プライマリディスプレイ２の画面上に表示するものである。この実施形態では、表示する段数は、１段から４段までとしており、これらの段数にそれぞれ当該段数を選択するためのラジオボタンを付したものが番組段数設定パネルとして構成される。
【００６７】
文字情報設定パネル表示手段１５ｂは、放送時間及び番組名を表示する際の文字に関する文字情報を、操作者が操作手段７を用いて設定するパネル領域である文字情報設定パネル領域を、プライマリディスプレイ２の画面上に表示するものである。文字情報は、文字の大きさと、フォントの種類と、文字飾りの有無（例えば、影付きの有無）とに関するものである。そして、文字情報設定パネルは、「文字大きさ」及び「フォント」のプルダウンメニュー形式の設定欄と、「影付き」のチェック欄とを表示するものである。
【００６８】
背景設定パネル表示手段１５ｃは、放送時間及び番組名を表示する際の背景（背景映像：背景に関する情報）を、操作者が操作手段７を用いて設定するパネル領域である背景設定パネル領域を、プライマリディスプレイ２の画面上に表示するものである。背景設定パネル領域は、選択するためのラジオボタンを付した「画像読込」及び「定型背景」と、「画像読込」を選択した場合の読込先を入力する入力欄と、押下することで参照する読込先を表示する「参照ボタン」と、「定型背景」を選択した場合のプルダウンメニュー形式の設定欄とを表示するものである。
【００６９】
放送時間・番組名対応表示手段１５ｄは、放送時間と番組名とを対応付けて段ごと（行ごと）に入力する入力欄を表示するものである。
【００７０】
変換手段１５ｅは、番組段数設定パネル領域、文字情報設定パネル領域及び背景設定パネル領域が、操作者により操作手段７で操作された操作結果である番組段数（１段〜４段）、文字情報及び背景に関する情報を取得し、文字情報及び背景に関する情報に基づいて、入力欄に入力された放送時間と番組名とを、ハイビジョン用ビデオファイルに変換し、番組段数で表示するものである。
【００７１】
基本操作ボタン表示手段１５ｇは、プレビュー表示手段１５ｆでプライマリディスプレイ２に表示されたハイビジョン用ビデオファイルの操作を、操作手段７を用いて行うための基本操作表示ボタン（詳細は後記する）を表示するものである。基本操作表示ボタンには、「プレビュー」、「プレビュー終了」、「送出」、「消去」、「終了」、「ロック」が含まれている。
【００７２】
ここで、図４を参照して、早終／延伸静止画作画・送出機能が実行された場合に、プライマリディスプレイ２上に表示される画面の例について説明する。この図４に示すように、早終／延伸静止画作画・送出機能が実行されると、プライマリディスプレイ２上には、早終／延伸静止画作画・送出ウインドウＷ３が表示される。そして、この早終／延伸静止画作画・送出ウインドウＷ３には、「番組段数」ＰＧ４（番組段数設定パネル領域）、「文字情報」ＰＧ５（文字情報設定パネル領域）、「背景設定」ＰＧ６（背景設定パネル領域）、「入力欄」Ｒ１、「プレビュー画面」Ｐ、「基本操作表示ボタン」（「プレビュー」Ｋ１、「プレビュー終了」Ｋ２、「送出」Ｋ５、「消去」Ｋ６、「ロック」Ｋ９が表示されている。各構成の説明と重複する点については説明を省略する。
【００７３】
なお、「入力欄」Ｒ１に入力したテキストデータがそのまま、番組名として表示されることになる。
また、「入力欄」Ｒ１には、番組名が長くなった場合に、当該番組名を２段以上に分けて表示することができるように、２段目以下の放送時間の表示を行わないようにするチェックするチェック欄「時刻消」が備えられている。図２に戻る。
【００７４】
テキストデータ表示手段１７ａは、縦スクロールニュース速報（縦スクロールのスーパ）として、ハイビジョン映像中に送出するテキストデータを表示するものである。なお、このテキストデータは、当該装置１に読み込んだ記事そのままであってもよいし、操作者が操作手段７を用いて、読み込んだ記事に加筆したものでも、新たに創作したものであってもよい。
【００７５】
文字情報・背景設定パネル表示手段１７ｂは、縦スクロールニュース速報を表示する際の文字に関する文字情報及び背景（背景映像の色、以下、背景色という）を、操作者が操作手段７を用いて設定するパネル領域である文字情報・背景色設定パネル領域を、プライマリディスプレイ２の画面上に表示するものである。文字情報・背景色設定パネル領域は、「文字大きさ」、「フォント」及び「背景色」のプルダウンメニュー形式の設定欄を表示するものである。
【００７６】
座標調整バー表示手段１７ｃは、縦スクロールニュース速報を、ハイビジョン映像に表示する座標（Ｘ方向の座標）を調整するバーである座標調整バーを、プライマリディスプレイ２の画面上に表示するものである。
【００７７】
スクロール速度バー表示手段１７ｄは、縦スクロールニュース速報を、ハイビジョン映像に表示する際の速度（スクロールする速度）を調整するバーであるスクロール速度バーを、プライマリディスプレイ２の画面上に表示するものである。
【００７８】
記事読込設定欄表示手段１７ｅは、縦スクロールニュース速報として当該装置１に読み込んで表示する記事を設定する「入力欄」と、押下することで参照する読み込み先を表示する「参照ボタン」と、この縦スクロールニュース速報をループさせるか否かを決定するチェック欄である「記事ループ」とを、プライマリディスプレイ２の画面上に表示するものである。
【００７９】
変換手段１７ｆは、記事を読み込む際の設定を行う欄（「入力欄」）、文字情報・背景色設定パネル領域、座標調整バー及びスクロール速度バーが、操作者により操作手段７で操作された操作結果である記事の読み込み先、文字情報、背景色、表示する座標及びスクロールする速度と、入力されたテキストデータとを取得し、文字情報及び背景色に基づいて、読み込み先から読み込まれたテキストデータ及び入力されたテキストデータの少なくとも１つを、ハイビジョン用ビデオファイルに変換し、この変換したハイビジョン用ビデオファイルを、座標及び速度で表示するものである。
【００８０】
基本操作ボタン表示手段１７ｈは、プレビュー表示手段１５ｆでプライマリディスプレイ２に表示されたハイビジョン用ビデオファイルの操作を、操作手段７を用いて行うための基本操作表示ボタン（詳細は後記する）を表示するものである。基本操作表示ボタンには、「プレビュー」、「プレビュー終了」、「送出」、「消去」、「終了」、「ロック」、「参照」が含まれている。
【００８１】
ここで、図５を参照して、縦スクロールニュース速報送出機能が実行された場合に、プライマリディスプレイ２上に表示される画面の例について説明する。この図５に示すように、縦スクロールニュース速報送出機能が実行されると、プライマリディスプレイ２上には、縦スクロールニュース速報送出ウインドウＷ４が表示される。そして、この縦スクロールニュース速報送出ウインドウＷ４には、「テキストデータ」Ｒ２、「文字情報」ＰＧ７（文字情報・背景色設定パネル領域）、「Ｘ座標調節」Ｂ１（座標調整バー）、「スクロール速度」Ｂ２（スクロール速度バー）、「記事読込」Ｒ３（入力欄）、「参照」Ｋ１７（参照ボタン）、「記事ループ」（チェック欄）、「プレビュー画面」Ｐ、「基本操作表示ボタン」（「プレビュー」Ｋ１、「プレビュー終了」Ｋ２、「送出」Ｋ６、「消去」Ｋ７、「ロック」Ｋ９が表示されている。各構成の説明と重複する点については説明を省略する。
【００８２】
このハイビジョン用ビデオファイル送出装置１によれば、スーパ／静止画送出機能によって、テキストデータ及び放送用映像の少なくとも１つについて、表示された送出項目選択パネル領域、送出オプションパネル領域及び位置調整パネル領域を操作し、作画関数に基づいて、ハイビジョン用ビデオファイルに変換すると共に、変換したものを、ハイビジョン用映像中に表示される際のプレビューを表示し、基本操作表示ボタンを操作することで、操作者はテキストデータを自在に入力することができ、入力したものを作画関数に基づいて変換しており、一旦画像化し静止画として出力することがないので、機能制限が少なく、スーパの修正を容易に行うことができる。
【００８３】
また、このハイビジョン用ビデオファイル送出装置１によれば、早終／延伸静止画作画・送出機能によって、テキストデータ及び放送用映像の少なくとも１つについて、表示された番組段数設定表示パネル領域、文字情報設定パネル領域、背景設定パネル領域を、操作者が操作することで、放送時間と番組名とを対応付けて表示するハイビジョン用ビデオファイルに変換することができる。
【００８４】
さらに、このハイビジョン用ビデオファイル送出装置１によれば、縦スクロールニュース速報送出機能によって、テキストデータ及び放送用映像の少なくとも１つについて、表示された文字情報・背景色設定パネル領域、座標調整バー、スクロール速度バーを、操作者が操作することで、縦スクロールのスーパを表示するハイビジョン用ビデオファイルに変換することができる。
【００８５】
（ハイビジョン用ビデオファイル送出装置の動作  スーパ送出動作）
次に、図６に示すフローチャートを参照して、ハイビジョン用ビデオファイル送出装置１の動作（スーパ送出動作）について説明する（適宜、図１，２参照）。
まず、ハイビジョン用ビデオファイル送出装置１は、制御手段５によって、送出項目選択パネル領域に表示された送出項目において、操作者がラジオボタンで選択した送出項目を取得する（ステップＳ１）。
【００８６】
続いて、ハイビジョン用ビデオファイル送出装置１は、制御手段５によって、取得した送出項目が定型スーパ（定型文）であるか否かを判定し（ステップＳ２）、定型スーパであると判定された場合（ステップＳ２、Ｙｅｓ）には、プルダウンで送出内容を選択し（ステップＳ３）、記憶手段９に記憶された設定ファイルを開く（ステップＳ４）。また、ハイビジョン用ビデオファイル送出装置１は、定型スーパであると判定されなかった場合（ステップＳ２、Ｎｏ）には、操作者によってテキストデータが入力されるまで待機し、直接入力されたテキストデータを取得する（ステップＳ５）。
【００８７】
そして、ハイビジョン用ビデオファイル送出装置１は、制御手段５によって、「プレビュー」ボタンが押下されたか否かを判定し（ステップＳ６）、押下されたと判定されるまで待機し（ステップＳ６、Ｎｏ）、押下されたと判定された場合（ステップＳ６、Ｙｅｓ）、プレビュー表示手段１３ｅによってプレビュー表示を行う（ステップＳ７）。
【００８８】
そして、ハイビジョン用ビデオファイル送出装置１は、制御手段５によって、スーパ又は送出位置を変更するかを判定する（ステップＳ８）。つまり、ハイビジョン用ビデオファイル送出装置１は、操作者によって、送出オプションパネル領域の「フォント」や「文字大きさ」の変更、「任意入力」によるテキストデータの追加等があったか、又は、位置調整パネル領域の「横方向の矢印ボタン」と、「縦方向の矢印ボタン」と、「初期位置戻しボタン」とのいずれかが押下された否かを判定する。ハイビジョン用ビデオファイル送出装置１は、スーパ又は送出位置を変更すると判定されなかった場合（ステップＳ８、Ｎｏ）はそのまま、スーパ又は送出位置を変更すると判定された場合（ステップＳ８、Ｙｅｓ）は、送出オプションパネル領域又は位置調整パネル領域で設定されたことに従って変更する（ステップＳ９）。
【００８９】
そして、ハイビジョン用ビデオファイル送出装置１は、制御手段５によって、「送出」ボタンが押下されたか否かを判定し（ステップＳ１０）、押下されたと判定されるまで待機し（ステップＳ１０、Ｎｏ）、押下されたと判定された場合（ステップＳ１０、Ｙｅｓ）、スーパを、出力手段１１を介して、セカンダリディスプレイ４に送出する（ステップＳ１１）。
【００９０】
そして、ハイビジョン用ビデオファイル送出装置１は、制御手段５によって、「ロック」ボタンが押下されたか否かを判定し（ステップＳ１２）、押下されたと判定された場合（ステップＳ１２、Ｙｅｓ）、他の操作を受け付けなくし（制御不可、ステップＳ１３）、再度「ロック」ボタンが押下されたか否かを判定し（ステップＳ１４）、再度押下されたと判定されるまで（ステップＳ１４、Ｎｏ）、制御不可を継続する。
【００９１】
そして、ハイビジョン用ビデオファイル送出装置１は、ステップＳ１２で「ロック」ボタンが押下されたと判定されなかった場合（ステップＳ１２、Ｎｏ）及びステップＳ１４で再度「ロック」ボタンが押下されたと判定された場合（ステップＳ１４、Ｙｅｓ）、制御手段５によって、「消去」ボタンが押下されたか否かを判定する（ステップＳ１５）。
【００９２】
そして、ハイビジョン用ビデオファイル送出装置１は、「消去」ボタンが押下されたと判定されるまで（ステップＳ１５、Ｎｏ）、ステップＳ１２〜ステップＳ１５をループし、「消去」ボタンが押下されたと判定された場合（ステップＳ１５、Ｙｅｓ）、スーパを消去する（ステップＳ１６）。
【００９３】
そして、ハイビジョン用ビデオファイル送出装置１は、制御手段５によって、「終了」ボタンが押下されたか否かを判定し（ステップＳ１７）、「終了」ボタンが押下されたと判定されない場合（ステップＳ１７、Ｎｏ）、ステップＳ１に戻り、「終了」ボタンが押下されたと判定された場合（ステップＳ１７、Ｙｅｓ）、動作を終了する。
【００９４】
（ハイビジョン用ビデオファイル送出装置の動作  全面静止画送出動作）
次に、図７に示すフローチャートを参照して、ハイビジョン用ビデオファイル送出装置１の動作（全面静止画送出動作）について説明する（適宜、図１，２参照）。
まず、ハイビジョン用ビデオファイル送出装置１は、制御手段５によって、送出項目選択パネル領域に表示された送出項目において、操作者がラジオボタンで選択した送出項目を取得する（ステップＳ２１）。
【００９５】
続いて、ハイビジョン用ビデオファイル送出装置１は、制御手段５によって、取得した送出項目が定型ノルマルであるか否かを判定し（ステップＳ２２）、定型ノルマルであると判定された場合（ステップＳ２２、Ｙｅｓ）には、プルダウンで送出内容を選択し（ステップＳ２３）、記憶手段９に記憶された設定ファイルを開く（ステップＳ２４）。また、ハイビジョン用ビデオファイル送出装置１は、定型ノルマルであると判定されなかった場合（ステップＳ２２、Ｎｏ）には、操作者によって画像ファイル（任意ノルマル）が入力されるまで待機し、入力された画像ファイルを取得する（ステップＳ２５）。
【００９６】
そして、ハイビジョン用ビデオファイル送出装置１は、制御手段５によって、「プレビュー」ボタンが押下されたか否かを判定し（ステップＳ２６）、押下されたと判定されるまで待機し（ステップＳ２６、Ｎｏ）、押下されたと判定された場合（ステップＳ２６、Ｙｅｓ）、プレビュー表示手段１３ｅによってプレビュー表示を行う（ステップＳ２７）。
【００９７】
そして、ハイビジョン用ビデオファイル送出装置１は、制御手段５によって、定型ノルマル又は入力された画像ファイルの送出位置を変更するかを判定する（ステップＳ２８）。つまり、ハイビジョン用ビデオファイル送出装置１は、操作者によって、位置調整パネル領域の「横方向の矢印ボタン」と、「縦方向の矢印ボタン」と、「初期位置戻しボタン」とのいずれかが押下された否かを判定する。ハイビジョン用ビデオファイル送出装置１は、送出位置を変更すると判定されなかった場合（ステップＳ２８、Ｎｏ）はそのまま、送出位置を変更すると判定された場合（ステップＳ２８、Ｙｅｓ）は、位置調整パネル領域で設定されたことに従って変更する（ステップＳ２９）。
【００９８】
そして、ハイビジョン用ビデオファイル送出装置１は、制御手段５によって、「送出」ボタンが押下されたか否かを判定し（ステップＳ３０）、押下されたと判定されるまで待機し（ステップＳ３０、Ｎｏ）、押下されたと判定された場合（ステップＳ３０、Ｙｅｓ）、スーパを、出力手段１１を介して、セカンダリディスプレイ４に送出する（ステップＳ３１）。
【００９９】
そして、ハイビジョン用ビデオファイル送出装置１は、制御手段５によって、「ロック」ボタンが押下されたか否かを判定し（ステップＳ３２）、押下されたと判定された場合（ステップＳ３２、Ｙｅｓ）、他の操作を受け付けなくし（制御不可、ステップＳ３３）、再度「ロック」ボタンが押下されたか否かを判定し（ステップＳ３４）、再度押下されたと判定されるまで（ステップＳ３４、Ｎｏ）、制御不可を継続する。
【０１００】
そして、ハイビジョン用ビデオファイル送出装置１は、ステップＳ３２で「ロック」ボタンが押下されたと判定されなかった場合（ステップＳ３２、Ｎｏ）及びステップＳ３４で再度「ロック」ボタンが押下されたと判定された場合（ステップＳ３４、Ｙｅｓ）、制御手段５によって、「消去」ボタンが押下されたか否かを判定する（ステップＳ３５）。
【０１０１】
そして、ハイビジョン用ビデオファイル送出装置１は、「消去」ボタンが押下されたと判定されるまで（ステップＳ３５、Ｎｏ）、ステップＳ３２〜ステップＳ３５をループし、「消去」ボタンが押下されたと判定された場合（ステップＳ３５、Ｙｅｓ）、定型ノルマル又は入力された画像ファイルを消去する（ステップＳ３６）。
【０１０２】
そして、ハイビジョン用ビデオファイル送出装置１は、制御手段５によって、「終了」ボタンが押下されたか否かを判定し（ステップＳ３７）、「終了」ボタンが押下されたと判定されない場合（ステップＳ３７、Ｎｏ）、ステップＳ２１に戻り、「終了」ボタンが押下されたと判定された場合（ステップＳ３７、Ｙｅｓ）、動作を終了する。
【０１０３】
（ハイビジョン用ビデオファイル送出装置の動作  連続送出動作）
次に、図８に示すフローチャートを参照して、ハイビジョン用ビデオファイル送出装置１の動作（連続送出動作）について説明する（適宜、図１，２参照）。
まず、ハイビジョン用ビデオファイル送出装置１は、操作者が操作手段７を操作した結果、制御手段５に入力された操作信号に従い、制御手段５によって、連続送出設定ウインドウを開く（プライマリディスプレイ２の画面上に表示する、ステップＳ４１）。
【０１０４】
続いて、ハイビジョン用ビデオファイル送出装置１は、設定ファイル保存読込手段１３ｇによって、記憶手段９に記憶されている設定ファイルを開いて、連続送出設定ウインドウに表示し、制御手段５によって、操作者が操作手段７を操作した結果、制御手段５に入力された操作信号に従い、当該設定ファイルの送出順を決定する（ステップＳ４２）。
【０１０５】
そして、ハイビジョン用ビデオファイル送出装置１は、設定ファイル保存読込手段１３ｇによって、送出順を決定した設定ファイルを記憶手段９に書き込む（ステップＳ４３）。そして、ハイビジョン用ビデオファイル送出装置１は、「連続送出モード」が押下された場合に制御手段５によって、連続送出モードに変更する（ステップＳ４４）。
【０１０６】
そして、ハイビジョン用ビデオファイル送出装置１は、制御手段５によって、「送出」ボタンが押下されたか否かを判定し（ステップＳ４５）、「送出」ボタンが押下されたと判定されるまで待機し（ステップＳ４５、Ｎｏ）、押下されたと判定された場合（ステップＳ４５、Ｙｅｓ）、設定ファイルを送出順に連続するように、出力手段１１を介して、セカンダリディスプレイ４に送出する（ステップＳ４６）。
【０１０７】
そして、ハイビジョン用ビデオファイル送出装置１は、制御手段５によって、チェンジボタン（「ＣＨＡＮＧＥ」ボタン）が押下されたか否かを判定し（ステップＳ４７）、押下されたと判定した場合（ステップＳ４７、Ｙｅｓ）、現在の設定ファイルを送出し、次の設定ファイルを読み込む（ステップＳ４８）。
【０１０８】
また、ハイビジョン用ビデオファイル送出装置１は、制御手段５によって、ネクストスキップボタン（「ＮＥＸＴ  ＳＫＩＰ」ボタン）が押下されたか否かを判定し（ステップＳ４９）、押下されたと判定した場合（ステップＳ４９、Ｙｅｓ）、現在の設定ファイルをそのまま、次の設定ファイルを読み込む（ステップＳ５０）。
【０１０９】
さらに、ハイビジョン用ビデオファイル送出装置１は、制御手段５によって、ネクストバックボタン（「ＮＥＸＴ  ＢＡＣＫ」ボタン）が押下されたか否かを判定し（ステップＳ５１）、押下されたと判定した場合（ステップＳ５１、Ｙｅｓ）、現在の設定ファイルをそのまま、前の設定ファイルを読み込む（ステップＳ５２）。
【０１１０】
そして、ハイビジョン用ビデオファイル送出装置１は、制御手段５によって、「消去」ボタンが押下されたか否かを判定する（ステップＳ５２）。そして、ハイビジョン用ビデオファイル送出装置１は、「消去」ボタンが押下されたと判定されるまで（ステップＳ５３、Ｎｏ）、ステップＳ４７〜ステップＳ５２をループし、「消去」ボタンが押下されたと判定された場合（ステップＳ５３、Ｙｅｓ）、連続送出した設定ファイルを消去する（ステップＳ５４）。
【０１１１】
そして、ハイビジョン用ビデオファイル送出装置１は、制御手段５によって、「終了」ボタンが押下されたか否かを判定し（ステップＳ５５）、「終了」ボタンが押下されたと判定されない場合（ステップＳ５５、Ｎｏ）、ステップＳ４１に戻り、「終了」ボタンが押下されたと判定された場合（ステップＳ５５、Ｙｅｓ）、動作を終了する。
【０１１２】
（ハイビジョン用ビデオファイル送出装置の動作  早終・延伸静止画作画送出動作）
次に、図９に示すフローチャートを参照して、ハイビジョン用ビデオファイル送出装置１の動作（早終・延伸静止画作画送出動作）について説明する（適宜、図１，２参照）。
まず、ハイビジョン用ビデオファイル送出装置１は、制御手段５によって、番組段数設定パネル領域に表示された番組段数において、操作者がラジオボタンで選択した番組段数を取得する（ステップＳ６１）。
【０１１３】
また、ハイビジョン用ビデオファイル送出装置１は、制御手段５によって、文字情報設定パネル領域に表示された文字情報において、操作者が入力した文字情報を取得する（ステップＳ６２）。さらに、ハイビジョン用ビデオファイル送出装置１は、制御手段５によって、背景設定パネル領域に表示された「画像読込」又は「定型背景」において、操作者がラジオボタンで選択し、入力した背景に関する情報（画像ファイル名、背景色）を取得する（ステップＳ６３）。さらに、ハイビジョン用ビデオファイル送出装置１は、制御手段５によって、入力欄に、操作者が操作手段７を用いて入力した放送時間及び番組名を取得する（ステップＳ６４）。
【０１１４】
続いて、ハイビジョン用ビデオファイル送出装置１は、制御手段５によって、「プレビュー」ボタンが押下されたか否かを判定し（ステップＳ６５）、押下されたと判定されるまで待機し（ステップＳ６５、Ｎｏ）、押下されたと判定された場合（ステップＳ６５、Ｙｅｓ）、プレビュー表示手段１３ｅによってプレビュー表示を行う（ステップＳ６６）。
【０１１５】
そして、ハイビジョン用ビデオファイル送出装置１は、制御手段５によって、「送出」ボタンが押下されたか否かを判定し（ステップＳ６７）、押下されたと判定されるまで待機し（ステップＳ６７、Ｎｏ）、押下されたと判定された場合（ステップＳ６７、Ｙｅｓ）、放送時間及び番組名（早終ノルマル又は延伸ノルマル、以下、ここでは、ノルマルという）を、出力手段１１を介して、セカンダリディスプレイ４に送出する（ステップＳ６８）。
【０１１６】
そして、ハイビジョン用ビデオファイル送出装置１は、制御手段５によって、「ロック」ボタンが押下されたか否かを判定し（ステップＳ６９）、押下されたと判定された場合（ステップＳ６９、Ｙｅｓ）、他の操作を受け付けなくし（制御不可、ステップＳ７０）、再度「ロック」ボタンが押下されたか否かを判定し（ステップＳ７１）、再度押下されたと判定されるまで（ステップＳ７１、Ｎｏ）、制御不可を継続する。
【０１１７】
そして、ハイビジョン用ビデオファイル送出装置１は、ステップＳ６９で「ロック」ボタンが押下されたと判定されなかった場合（ステップＳ６９、Ｎｏ）及びステップＳ７１で再度「ロック」ボタンが押下されたと判定された場合（ステップＳ７１、Ｙｅｓ）、制御手段５によって、「消去」ボタンが押下されたか否かを判定する（ステップＳ７２）。
【０１１８】
そして、ハイビジョン用ビデオファイル送出装置１は、「消去」ボタンが押下されたと判定されるまで（ステップＳ７２、Ｎｏ）、ステップＳ６９〜ステップＳ７２をループし、「消去」ボタンが押下されたと判定された場合（ステップＳ７２、Ｙｅｓ）、ノルマルを消去する（ステップＳ７３）。
【０１１９】
（ハイビジョン用ビデオファイル送出装置の動作  縦スクロールニュース速報送出動作）
次に、図１０に示すフローチャートを参照して、ハイビジョン用ビデオファイル送出装置１の動作（縦スクロールニュース速報送出動作）について説明する（適宜、図１，２参照）。
まず、ハイビジョン用ビデオファイル送出装置１は、操作者が操作手段７を操作した結果に従い、制御手段５によって、縦スクロールニュース速報（縦スクロールのスーパ）として出力する記事を読み込むか否かを判定し（ステップＳ８１）、記事を読み込むと判定された場合（ステップＳ８１、Ｙｅｓ）には、読み込み記事を選択する（ステップＳ８２）。また、ハイビジョン用ビデオファイル送出装置１は、記事を読み込むと判定されなかった場合（ステップＳ８１、Ｎｏ）には、操作者によってテキストデータが入力されるまで待機し、直接入力された記事（テキストデータ）を取得する（ステップＳ８３）。
【０１２０】
そして、ハイビジョン用ビデオファイル送出装置１は、制御手段５によって、文字情報・背景色設定パネル領域に表示された文字情報及び背景色において、操作者が入力した文字情報及び背景色を取得する（ステップＳ８４）。また、ハイビジョン用ビデオファイル送出装置１は、制御手段５によって、操作者が操作手段７を用いて調整した座標（Ｘ方向の位置座標）を取得する（ステップＳ８５）。さらに、ハイビジョン用ビデオファイル送出装置１は、制御手段５によって、操作者が操作手段７を用いて調整したスクロール速度を取得する（ステップＳ８６）。
【０１２１】
そして、ハイビジョン用ビデオファイル送出装置１は、制御手段５によって、「プレビュー」ボタンが押下されたか否かを判定し（ステップＳ８７）、押下されたと判定されるまで待機し（ステップＳ８７、Ｎｏ）、押下されたと判定された場合（ステップＳ８７、Ｙｅｓ）、プレビュー表示手段１３ｅによってプレビュー表示を行う（ステップＳ８８）。
【０１２２】
そして、ハイビジョン用ビデオファイル送出装置１は、制御手段５によって、「送出」ボタンが押下されたか否かを判定し（ステップＳ８９）、押下されたと判定されるまで待機し（ステップＳ８９、Ｎｏ）、押下されたと判定された場合（ステップＳ８９、Ｙｅｓ）、縦スクロールニュース速報を、出力手段１１を介して、セカンダリディスプレイ４に送出する（ステップＳ９０）。
【０１２３】
そして、ハイビジョン用ビデオファイル送出装置１は、制御手段５によって、「ロック」ボタンが押下されたか否かを判定し（ステップＳ９１）、押下されたと判定された場合（ステップＳ９１、Ｙｅｓ）、他の操作を受け付けなくし（制御不可、ステップＳ９２）、再度「ロック」ボタンが押下されたか否かを判定し（ステップＳ９３）、再度押下されたと判定されるまで（ステップＳ９３、Ｎｏ）、制御不可を継続する。
【０１２４】
そして、ハイビジョン用ビデオファイル送出装置１は、ステップＳ９１で「ロック」ボタンが押下されたと判定されなかった場合（ステップＳ９１、Ｎｏ）及びステップＳ９３で再度「ロック」ボタンが押下されたと判定された場合（ステップＳ９３、Ｙｅｓ）、制御手段５によって、「消去」ボタンが押下されたか否かを判定する（ステップＳ９４）。
【０１２５】
そして、ハイビジョン用ビデオファイル送出装置１は、「消去」ボタンが押下されたと判定されるまで（ステップＳ９４、Ｎｏ）、ステップＳ９１〜ステップＳ９４をループし、「消去」ボタンが押下されたと判定された場合（ステップＳ９４、Ｙｅｓ）、縦スクロールニュース速報を消去する（ステップＳ９５）。
【０１２６】
以上、本発明の実施形態について説明したが、本発明は前記実施形態には限定されない。例えば、本実施形態では、ハイビジョン用ビデオファイル送出装置１は、装置として説明したが、制御手段５で起動するプログラム（ハイビジョン用ビデオファイル送出プログラム）を、別途コンピュータを機能させるものとして運用することも可能である。
【図面の簡単な説明】
【０１２７】
【図１】本発明の実施形態に係るハイビジョン用ビデオファイル送出装置のシステム構成図である。
【図２】図１に示したハイビジョン用ビデオファイル送出装置の機能ブロック図である。
【図３】スーパ／静止画送出機能が実行された場合に、プライマリディスプレイ上に表示される画面の例について示した図である。
【図４】早終／延伸静止画作画・送出機能が実行された場合に、プライマリディスプレイ上に表示される画面の例について示した図である。
【図５】縦スクロールニュース速報送出機能が実行された場合に、プライマリディスプレイ上に表示される画面の例について示した図である。
【図６】ハイビジョン用ビデオファイル送出装置の動作（スーパ送出動作）を示したフローチャートである。
【図７】ハイビジョン用ビデオファイル送出装置の動作（全画面静止画送出動作）を示したフローチャートである。
【図８】ハイビジョン用ビデオファイル送出装置の動作（連続送出動作）を示したフローチャートである。
【図９】ハイビジョン用ビデオファイル送出装置の動作（早終・延伸静止画作画送出動作）を示したフローチャートである。
【図１０】ハイビジョン用ビデオファイル送出装置の動作（縦スクロールニュース速報送出動作）を示したフローチャートである。
【符号の説明】
【０１２８】
１                      ハイビジョン用ビデオファイル送出装置
２                      プライマリディスプレイ
３                      入力手段
４                      セカンダリディスプレイ
５                      制御手段
７                      操作手段
９                      記憶手段
１１                    出力手段
１３ａ                  送出項目選択パネル表示手段
１３ｂ                  送出オプションパネル表示手段
１３ｃ                  位置調整パネル表示手段
１３ｄ、１５ｅ、１７ｆ  変換手段
１３ｅ、１５ｆ、１７ｇ  プレビュー表示手段
１３ｆ、１５ｇ、１７ｈ  基本操作ボタン表示手段
１３ｇ、１５ｈ、１７ｉ  設定ファイル保存読込手段
１３ｈ、１５ｉ、１７ｊ  ショートカットキー設定手段
１５ａ                  番組段数設定パネル表示手段
１５ｂ                  文字情報設定パネル表示手段
１５ｃ                  背景設定パネル表示手段
１５ｄ                  放送時間・番組名対応表示手段
１７ａ                  テキストデータ表示手段
１７ｂ                  文字情報・背景設定パネル表示手段
１７ｃ                  座標調整バー表示手段
１７ｄ                  スクロール速度バー表示手段
１７ｅ                  記事読込設定欄表示手段
【図１】
2008277928.tif 000003
【図２】
2008277928.tif 000004
【図３】
2008277928.tif 000005
【図４】
2008277928.tif 000006
【図５】
2008277928.tif 000007
【図６】
2008277928.tif 000008
【図７】
2008277928.tif 000009
【図８】
2008277928.tif 000010
【図９】
2008277928.tif 000011
【図１０】
2008277928.tif 000012